(57)【要約】【目的】先ず永久磁石２個の吸引力とテコの応用を利用して、このテコの先にヒゲを着けこれを感知器として電気リレーを作製した。これをヒゲ・リレー・センサーと名付けた。このリレーは他の感知器との相違は消費電力零で配線が不要で乾電池寿命で良く、よって屋外等何処にでも設置可能でバネ等使用せず寿命は半永久的であると言う特徴を持つ。【構成】このヒゲ・リレー・センサーを色々な部品に取り着けて感知器として１，　鳥、犬、猫、猿、猪、鹿、熊等の排除、捕獲機。２，　ゴキブリ、害虫駆除捕獲機。３，　イタチ、スーパーネズミ捕り機。４，　窓、ドアー、オルゴウル、泥棒、物品盗難センサー。５，　如何なる場所、又複数箇所同時に使用可能な泥棒クモ糸センサー。これらを総て完成した又多くの応用の可能性は広がる。【選択図】　　図２９
2004030543.tif 000002
【特許請求の範囲】
【請求項１】
二個の永久磁石の相互引力を利用しテコの応用を加え電気接点を作動させる。このテコの先にヒゲ（ポリエステル、記憶合金、ビニール、ピアノ線、グラ
スフアイバー等）を取り付け接触センサーとするヒゲ・リレー・センサー。
【請求項２】
永久磁石を利用したヒゲ・リレー・センサーを使用した鳥、犬、猫、猿、猪
、鹿、排除、捕獲機。
【請求項３】
永久磁石を利用したヒゲ・リレー・センサーを使用したゴキブリ、虫駆除捕
獲機。
【請求項３】
永久磁石を利用したヒゲ・リレー・センサーを使用したイタチ、スーパーネ
ズミ捕り機。
【請求項４】
永久磁石を利用したヒゲ・リレー・センサーを使用した窓、ドアーオルゴウ
ル、何処にも使用可能なオルゴウル、泥棒センサー、物品盗難センサー。
【請求項５】
永久磁石を利用したヒゲ・リレー・センサーを使用した如何なる場所、又復
数箇所同時に使用可能な泥棒クモ糸センサー。
【発明の詳細な説明】
【０００１】
本発明は、永久磁石二個とテコの原理を利用しそのテコの先にヒゲ又は棒、糸を取り付けそれをセンサーとし電気接点を作動させ音響、無線、動力を作動させる。センサーの感度は二個の磁石の大きさ間隔、テコの長さ比率、によって自由に作製でき又バネを使用しないので寿命は半永久的である。
【０００２】
赤外線感知器、音波感知器等は電源、配線が必要であり消費電力がいるが、このヒゲ・リレー・センサーは消費電力はゼロで配線無用、乾電池寿命で良い、よって如何なる場所、屋外、室内簡単に設置可能。
【０００３】
消費電力をゼロにする事によって多くの物品に取り付け可能になる、また極微量感知器から大容量感知器まで自由に作成可能で（イタチ、ネズミ、ゴキブリ等）害虫外敵動物捕獲機（鳥、犬、猫、猿、猪、鹿、熊等）外敵動物排除捕獲機。（窓、ドアー、オルゴウル、複数箇所クモ糸、泥棒、物品盗難センサー等）安価で簡単設置可能な装置が出来た、応用範囲は無限大に広がり普及の可能性は高い。
【０００４】
【実施例１】
図１は、Ｉ型のヒゲ・リレー・センサーの本体である、Ａは固定永久磁石、Ｂは永久磁石であるＡとＢの引力でＢは浮遊している。Ｂの腕棒とＣの腕棒とでジョイントＩを持ちヒゲＧとで支点Ｅで支えられている、ＣはＤの中点で浮遊して居りＣとＤとで電気接点を持つ、Ｂの輪棒とＣの輪棒とでジョイントＩを持ち支えられている又ＣとＥは常に電気接触点を持つ、ＤとＥは（＋）と（−）の電極となる。本体はプラスチック製。Ｂの腕とＣ、Ｄ、Ｅはステンレス製か銅製。Ｇはポリエステル、記憶合金、グラスファイバー、竹、ピアノ線、ビニール糸等、複数本での良い。
図２は、各部品の形状。
図３は、Ｉ型の作動図であるＧに力が加わるとＫを支点としてＩのジョイントによりテコの応用で曲がりＣとＤとで電気接点を持つＪ、作動する。
図４は、ＩＩ型でＣとＢの一体形でＧに力が加わるとＫを支点としてテコの応用で曲がりＤと電気接点を持つ、単純で大型リレーに向いている。
図５は、ＩＩＩ、ＩＶ、Ｖ型であるＩＩＩ型はＣが支点Ｋで直角に曲がっているタイプであるり力点の方向が本体より９０度違っている型。ＩＶ型はＩＩ型のＢに鉛Ｌを巻き重くし安定を測り又小型化にも成るように作製してある、この型はＢだけしかなくＥとＤとで電気接点を持つ、垂直に置くタイプ水平が崩れると作動。Ｖ型は、クモ糸センサーであるＢとＣを直角に位置しＣとＧを一本化してＫを支点としてテコを作り先端Ｍを図の様に割ピン形にして糸を張り挟むＯ。Ｐは永久磁石にワッパを取り着け糸を固定する、ＯＮ、ＯＦ接点を配して糸の張り方でＯＮ、ＯＦ、に成る様に設計してある。
図６は、ＩＩＩ型に図の様なパイプＱ、Ｖは半分カットする。を取り付け中に記憶合金線、ピアノ線を入れストッパーＲ、Ｓを取り着け線を出し入れ出来る様にする、一点の力でＩＩＩ型リレーが働く様にする、特殊リレーである今後色々な場所で使用できる。
【実施例２】
図７は、鳥追いセンサーと言う（外敵動物排除、捕獲機に使用）Ｉ、ＩＩ、ＩＩＩ形が使用できる、ＶＩＩはグラスハイバー、竹、木棒等、ＶＩＩＩは前蓋Ｔ字形に穴を開ける上下だけ作動する様にする横風防止、ＩＩＩ型は不要。音、音波、光等で追い払う又捕獲も可能。
【実施例３】
図８は、犬、猫追いセンサーと言う（外敵動物排除、捕獲と同じ）猿、猪、鹿、熊追い機と同じ。（ＩＸ）はグラスフアイバー、ピアノ線等。
【実施例４】
図９は、ドアーセンサーと言う（窓、オルゴールセンサーと同じ）▲４▼は土台。▲３▼は音響部、又は無線器。▲５▼は接着部、ノリ又は磁石。Ｉ型リレー９０度左右に回転、自由に何処にも取り付け可能なため。超小型まで作製可能、オルゴウルから泥棒センサーまで使用範囲は広い。
【実施例５】
図１０は、物品盗難センサーである、ＩＩＩ型とＩＶ型を合体させ物品にテープで張り付ける物品を挙げても動かしても反応する、これも音響、または無線Ｚで知らせる、超小型から大型まで作成可能。
【実施例６】
図１１は、クモ糸センサーＶ型である、▲６▼は糸車である適宜必要に応じて引き出す様にしてあるこの場合１０ｍ、Ｚは音響装置、または発信装置▲７▼は接着部、鉄板Ｙに両面テープ等▲８▼何処にでも張り付けられる様にするＸｉは永久磁石に鍵型金を取り付けた物、図の様に糸Ｎ（糸は細い黒糸が良い）を張り割ピンＭに糸を挟むＯ。実際には鍵型磁石を複数個着ける事によって複数の窓、ドアーを１個のセンサーで一度にカバー出来るセンサーとなる。使用場所は何処にでも屋外、庭、路地、門、複数窓ドアー、物品、自動車、その他。使用範囲は実に広い。
【実施例７】図１２から図１７までは、ゴキブリ捕り機である。
図１２は歯車押し板の部品である１はＴ字板　モーター動力を中押し板に伝える為、２は歯車の歯、３は腕　シャッター蓋を押し開く為、４は中押し板の返しピン　元の位置に返る時に中押し板を掛ける役目、全体はモーターの歯車で前後に移動する。
図１３は、中押し板、ＩはＩ型センサー、７は中押し板、６は添え移動板Ｉセンサー（固定）に沿って７，６共に前後移動、
図１４は、図１２と図１３を合体させモーターを着けた図。▲９▼は定位置、ヒゲＧに力が加わると歯車押し板が動きだし▲１０▼中押し板を押し始める、▲１１▼押し終ったら定位置へ戻る、戻るとき返しピンが中押し板に掛かり一緒に定位置へ戻る仕組みである。
図１５は、上述の機構を実際に取り着けた図、ゴキブリがヒゲに触れるとモーターが動き出し歯車押し板と中押し板がゴキブリを押し腕３が蝶番１３着き蓋１４を押し開け共に箱１０の中へと強制的に押し込む構造。
図１６は、ゴキブリ捕り機完成図である。ゴキブリ２２の侵入する空間の高さはゴキブリの好む高さ９ミリに定める、一番の特徴は入り口の段差がゼロ１９で入り口幅が広範囲に作製してある、厚さが薄い約１センチと言う事である。１８は島状コルク板等で作製、中州の中の幅は４０ミリ、入り口２０ミリ、出口は２５ミリ、１７は毛返し上半分に内側へ向け取り付ける１６は慣れるための疑似、毛は着け無くても十分であるが着けた方がより効果的。２１は天板、センサーに向け全体から誘導する様に作製してある２０から見ると対面が見透され自然に這入り易い様に作製してある。単独使用の場合は勿論箱１０は使え捨て音楽の鳴る様にしてあり楽しい、又薄いので目立たない狭い場所にも置け例えばテレビ、ゴミ箱等の台として置ける。又設置型の場合は後に述べる。
図１７は、２０方向から見た拡大図である。
【実施例８】
【図１８】から
【図２９】までは、スパーネズミ捕り機である。ヒゲ・リレー・センサーを使用する事によって消費電力はゼロである、よって屋外、床下、天井裏等何処にでも設置可能。疑似天敵を利用し警戒音を発する事無く次々と捕獲する事が出きる。ネズミは非常に頭が良く警戒心の強い動物である彼らが日頃日常生活於いて生活の一部として見聞き触れている部品しかも多く一般に出回って入る安価な部品（排水パイプ、雨ドイ、電気蛇腹パイプ等）を使用して警戒心を無くした。
図１８は、この場合は排水パイプ４種類を使用する。
図１９は、組み合わせ図（Ｂ）は（３）と（１）、（Ｃ）は（４）と（１）、図２０は、組み合わせ図（Ａ）は（１）を３個、（２）と（４）を２個図（Ａ）の様に組み合わせる、（４）は図の様にシャターが入る様にカットする。
図２１は、（Ｂ）を図の様に４輪車に乗せ駆動。（ｖ）は二個の発光ダイオード赤色、疑似天敵。（ｉｉｉ）は滑り止め用タイヤ。（ｖｉ）はシャター板２。
（６）は翼、両脇シャター板（７）２枚との固定、駆動部とも固定、同時に駆動。又シャター板１（ｖｉ）は（Ｃ）の前を（Ｂ）と導通したり閉鎖したりする。（ｉ）はギヤー部、（ｉｉ）はモーター部。
図２２は完成図平面図である。センサー（１０）にネズミが触れると駆動部が平面図上方へ動きシャッター２（７）二枚が閉まる、閉まりながら発光ダイオード黄色二個づつ疑似天敵が点灯する。又（Ａ）と（Ｂ）間も閉まる、と同時に（Ｃ）と（Ｂ）間は開く。そこでネズミは疑似天敵の目の色黄色に脅え警戒音を発せ無いまま（Ａ）から（Ｂ）を通り（Ｃ）に行くしか無い（Ｃ）に於いてセンサー（１１）に触れると駆動部が逆に動くと同時に疑似天敵の発光ダイオード二個（ｉｘ）が攻撃色赤を点灯しながら動きシャッター１（ｖｉ）が閉まる又（Ａ）と（Ｂ）間、シャッター２（７）は元の位置に戻る。
図２３は、（１２）の断面部分。シャッター１（７）部分の右側面図、発光ダイオード二個黄色（ｉｘ）、疑似天敵はネズミの方向、センサー（１０）方向へ向き裏側は光は見えない様にする。（７）は（４）カットした部分をシャターとして前後に移動、（ｖｉ）は翼（６）とシャター（７）の支えの車輪。
図２４は、完全設置図である。（１６）は遊び、多く作れば作るほど良い慣れさす意味と複雑にして習性を利用するためである、○印はネズミの入る入り口、（１４）は入り口からセンサー迄の調整で出来るだけ本体から遠避ける為、約３〜４０センチ程度良い対面が見透される事、（１５）は（１７）の接ぎ手（１７）が肝心である出来るだけ長く遠くへ出来れば隣室以上、屋外等、警戒音を遠くする必要がある、完全設置の場合は電源は変圧器ＤＣ３ボルトで良い。ただの設置型の場合でも本体直ぐ側で捕獲しては成らない。
図２５は、捕獲シャッター（ＩＩ）である。ネズミが（１７）からかなりの勢いでやって来る（１９）の蝶番着き蓋（１８）重り着き（鉛等）、蓋は上に開き下に閉まるネズミが頭で開け中に入り閉まる様になっている。
図２６は捕獲網（ＩＩＩ）である。次々とネズミが入る様に設計してある。
図２７は、狭い場所用、又は大型用簡素化してある大型はイタチ等。
図２８は、これも全く狭い場所用。単独にモーターシャッター３個別々取り着ける１個は発光ダイオード赤。配管、配電盤、機械類の中、等又大型動物用にも適用、設置方法は幾種類も可能。
図２９は、土台（８）の代わりに（２３）ゴキブリ捕りを取り着けたスーパーネズミ捕り（ＶＩＩ）である。（２４）はゴキブリの入り口高さ１センチ幅３、５センチ、（２５）は出口。これでネズミ、ゴキブリが同時に捕獲できる。（食料倉庫、厨房、流し台の下等）実に幅広く設置可能。
【図面の簡単な説明】
【図１】Ｉ、ヒゲ・リレー・センサーの平面図、側面図，各断面図である。図１〜６迄はヒゲリレーセンサーの説明
【図２】ヒゲ・リレー・センサーの各部品の図面である。
【図３】ヒゲ・リレー・センサーの作動図である。
【図４】ＩＩ型、ヒゲ・リレー・センサー作動図である。
【図５】ＩＩＩ型、リレーと。ＩＶ型垂直、リレーの図である。
Ｖ型、泥棒クモ糸センサーの原理図である
【図６】一点動力センサーの原理図である。
【符号の説明１】
Ａ　固定永久磁石　　Ｂ　浮遊永久磁と輪棒の合体　Ｃ　対極輪２個の輪棒
Ｄ　輪棒電気接点　　　Ｅ　支点支え棒　　Ｆ　本体、プラスチック製
Ｇ　ヒゲ、記憶合金等　Ｈ　電極、　　　　Ｉ　輪同士のジョイント
Ｊ　電気接触点　　　　Ｋ　持続接点　　　Ｌ　重り（鉛等）
Ｍ　割ピン　糸挟み　　Ｎ　糸　　　　　　Ｏ　糸挟み場所
Ｐ　永久磁石にワッパ固定　　　　　　　　Ｑ　プラスチック製パイプ
Ｒ、Ｓ　ストッパー　　　　　　　　　　　Ｔ　記憶合金、ピアノ線等
Ｕ　一点力点　　　　　　　　　　　　　　Ｖ　パイプ半分カット
Ｗ　穴あき蓋　　　　　　　　　　　　　　Ｘ　ＩＩＩ、ＩＶ型合体型
Ｘｉ　鍵型着き永久磁石　　　　　　　　　Ｙ　鉄板
Ｚ　発信器、又は音響装置
Ｉ　Ｉ型ヒゲ・リレ・センサー　　　ＩＩ　　ＩＩ型Ｃ、Ｂ一体型
ＩＩＩ　ＩＩＩ型力点９０度型　　　ＩＶ　ＩＶ型垂直型センサー
Ｖ　Ｖ型クモ糸リレーセンサー　　　ＶＩ　ＶＩ型一点動力　リレーセンサー
（図面の簡単な説明２）　図７〜１１迄は外敵動物排除、捕獲器、泥棒センサー、物品盗難センサー、窓センサー、ドアーセンサー、オルゴウルセアンアー、泥棒クモ糸センサーの説明。
【図７】鳥追いセンサーの側面図である　センサーのＩ、ＩＩ、ＩＩＩを使用
【図８】犬、猫追いセンサー（猿、猪、鹿、熊等）である
【図９】ドアーセンサー（窓、泥棒、オルゴウル等）である
【図１０】泥棒、物品盗難センサーである
【図１１】クモ糸センサーの側面図部ある
【符号の説明２】
ＶＩＩ　グラスファイバー、竹棒、木棒等　　ＶＩＩＩ　横風除けＴ字形蓋
ＩＸ　グラスファイバー
▲１▼　発光ダイオード点滅　　▲２▼　音響　　　▲３▼　音響装置、又は無線
▲５▼　両面接着剤、又は磁石　▲６▼　糸車　　　▲７▼　両面接着剤、又は磁石
▲８▼　両面接着剤
（図面の簡単な説明３）図１２〜１７迄はゴキ捕り機の説明
【図１２】歯車押し板の平面図、側面図である、モーターの駆動で前後する
【図１３】中押し板、平面、前正面、８の拡大図である、歯車押し板と同期
【図１４】図１２と図１３のセンサー、モーターを着けた駆動範囲図である
【図１５】実際のゴキブリの捕獲方法と捕獲機構部と部分拡大図である
【図１６】ゴキブリ捕り機の完成図、底面から見た平面図、側面図である
【図１７】２０部の部分拡大図である
【符号の説明３】
１　Ｔ字形板　　　　　２　歯車受け歯　　　　　　　３　腕棒
４　返しピン　　　　　５　中押し板押し　　　　　　６　センサー添え板
７　中押し板　　　　　８　ヒゲＧが通る穴　　　　１０　ゴキブリ捕獲箱
１１　配電盤室　　　　１２　電池室　　　　　　　１３　蝶番
１４　シャッター蓋　　１５　蓋逆開き押さえクイ　１６　遊び毛
１７　逆戻り防止逆毛　１８　中州状コルク板　　　１９　段差無し入り口
２０　対面見透し口　　２１　天板　　　　　　　　２２　ゴキブリ
▲９▼　センサーの働く初期状態　▲１０▼　駆動期　▲１１▼　初期状態に戻る
（図面の簡単な説明４）図１８〜２９迄はスーパーネズミ捕り機の説明
【図１８】この場合の使用する排水パイプの形状である
【図１９】使用する為の各部品の合体図である
【図２０】部品（４）を図のようにカットし各部品に取り着けた図である
【図２１】部品（Ｂ）と（ｖｉ）を４輪の駆動車に乗せた平面図と側面図である
【図２２】スパーネズミ捕り機の完成図の平面図である
【図２３】（１２）部分の左側面図である
【図２４】スパーメズミ捕り機の完全設置図である
【図２５】捕獲シャッターの側面図と側面図である
【図２６】捕獲シャッターを捕獲網に取り着けた完成図である
【図２７】スーパーネズミ捕り機の狭い場所用、大型用２型（ＩＶ）の平面図
【図２８】極狭い場所用、大型用３型（ＶＩ）の設置平面図である
【図２９】スーパーネズミ捕り機とゴキブリ捕り機との合体設置平面図である
【符号の説明４】
（１）ＪＩＳ　ＫＢ　６７４１　６８４０２８　パイプＵＶ５０
（２）ＵＶ５０Ｔ字ジョイント　　　（３）ＵＶ５０Ｌ字ジョイント
（４）ＵＶ５０ジョイント　　　　　（５）（４）のカット部分
（６）翼、（７）と（Ｉ）の固定翼　（７）シャッター２の２枚
（８）土台　　　　　　　　　　　　（９）（１）の駆動レール
（１０）初動センサー　　　　　　　（１１）後動センサー
（１２）（７）シャッターの断面　　（１３）壁
（１４）（１）の３〜４０センチ　　（１５）（１７）の接ぎ手
（１６）遊びパイプ　　　　　　　　（１７）捕獲誘導パイプ
（１８）鉛重り着きシャッター蓋　　（１９）蝶番
（２０）（１８）の添え溝（１）を斜めにカットして（２１）開き接合
（２２）単独モーターシャッター　　（２３）ゴキブリ捕り機
（２４）ゴキブリ入り口　　　　　　（２５）ゴキブリ出口
（ｉ）ギヤー室　　　　　　　　　　（ｉｉ）モーター室
（ｉｉｉ）滑り止めタイヤ　　　　　（ｉｖ）車輪
（ｖ）攻撃用疑似発光ダイオード赤　（ｖｉ）シャッター１
（ｖｉｉ）配電盤室　　　　　　　　（ｖｉｉｉ）電池室
（ｉｘ）疑似天敵発光ダイオード黄色
（Ａ）　　（１）＋（２）＋（４）の（５）カット＝合体
（Ｂ）　　（１）＋（３）＝合体　　（Ｃ）　　（１）＋（４）＝合体
（Ｉ）　　（Ｂ）とシャッター１　　（ｖｉ）を乗せた駆動４輪車
（ＩＩ）　捕獲シャッター　　　　　（ＩＩＩ）　捕獲網
（ＩＶ）　狭い場所用、大型用ネズミ、イタチ捕獲機
（Ｖ）　（ＩＶ）の後動センサー部　（ＶＩ）極狭い用、大型も可
（ＶＩＩ）　スーパーメズミ捕り機とゴキブリ捕り合併型
【図１】
2004030543.tif 000003
【図２】
2004030543.tif 000004
【図３】
2004030543.tif 000005
【図４】
2004030543.tif 000006
【図５】
2004030543.tif 000007
【図６】
2004030543.tif 000008
【図７】
2004030543.tif 000009
【図８】
2004030543.tif 000010
【図９】
2004030543.tif 000011
【図１０】
2004030543.tif 000012
【図１１】
2004030543.tif 000013
【図１２】
2004030543.tif 000014
【図１３】
2004030543.tif 000015
【図１４】
2004030543.tif 000016
【図１５】
2004030543.tif 000017
【図１６】
2004030543.tif 000018
【図１７】
2004030543.tif 000019
【図１８】
2004030543.tif 000020
【図１９】
2004030543.tif 000021
【図２０】
2004030543.tif 000022
【図２１】
2004030543.tif 000023
【図２２】
2004030543.tif 000024
【図２３】
2004030543.tif 000025
【図２４】
2004030543.tif 000026
【図２５】
2004030543.tif 000027
【図２６】
2004030543.tif 000028
【図２７】
2004030543.tif 000029
【図２８】
2004030543.tif 000030
【図２９】
2004030543.tif 000031